(57)【要約】【課題】  光量分布を均質化することが可能な植物栽培装置を提供する。【解決手段】  第１人工光源１００−１，１００−３と第２人工光源１００−２，１００−４とを覆うように配置した導光部材１０１，２００を備える。導光部材１０１，２００の第１受光部１１１，２１１と第２受光部１１２，２１２とから第１人工光源の第１光Ｌ１，Ｌ３と第２人工光源の第２光Ｌ２，Ｌ４とをそれぞれ取り込んで屈折して、発光部１０１ｂ，２００ｃまで透過したのち、第１及び第２人工光源の両端部間の隙間部分１３１，１３２に対向する植物に向けて照射する。【選択図】  図３Ａ
2019047773.tif 000002
【特許請求の範囲】
【請求項１】
長手方向沿いに隣接配置された第１人工光源と第２人工光源とを有して植物栽培用の光をそれぞれ照射する複数の人工光源と、
前記第１人工光源と前記第２人工光源とを覆うように配置される導光部材とを備え、
前記導光部材は、前記人工光源の前記長手方向沿いに、第１受光部と、発光部と、第２受光部とが連結して配置され、
前記第１受光部は、前記第１人工光源から照射される第１光を取り込んだのち屈折して前記発光部に向けて透過させ、
前記第２受光部は、前記第２人工光源から照射される第２光を取り込んだのち屈折して前記発光部に向けて透過させ、
前記発光部は、前記第１受光部と前記第２受光部とからそれぞれ取り込んで屈折した後に透過してきた前記第１光及び前記第２光を取り込み、屈折したのち、前記第１人工光源の端部と当該端部に隣接する前記第２人工光源の端部との間の非照射部に対向する植物栽培用空間に向けて照射する、植物栽培装置。
【請求項２】
前記各人工光源は、蛍光灯であり、
前記導光部材は、前記複数の人工光源の直上に設置され、かつ前記第１受光部は、前記発光部に向かうにつれて先細りの形状を持つ、請求項１に記載の植物栽培装置。
【請求項３】
前記導光部材は、前記第１人工光源の中央部から前記第２人工光源の中央部までの直上に設置され、
前記第１人工光源と前記第２人工光源との互いに対向する端部間に前記発光部が配置され、
前記第１受光部は、前記第１人工光源の前記中央部から前記端部に向かうにつれて先細りの形状を持ち、
前記第２受光部は、前記第２人工光源の前記中央部から前記端部に向かうにつれて先細りの形状を持つ、請求項２に記載の植物栽培装置。
【請求項４】
前記導光部材は、前記各人工光源の長手方向とは交差する方向に軸方向を有しかつ下向きに凸の半円筒形状で構成され、かつ、前記第１人工光源の端部と前記第２人工光源の端部との下側に、前記両端部を覆うように配置され、
前記半円筒形状の周方向の両側の上部に前記第１受光部と前記第２受光部とが配置され、
前記第１受光部と前記第２受光部とにそれぞれ対向して前記人工光源の前記端部が配置され、
前記半円筒形状の下端部に前記発光部が配置される、請求項１に記載の植物栽培装置。
【請求項５】
前記各人工光源は、ＬＥＤである、請求項４に記載の植物栽培装置。
【発明の詳細な説明】
【技術分野】
【０００１】
本開示は、複数の人工光源から照射される光を用いて植物の栽培を行う植物栽培装置に関する。
【背景技術】
【０００２】
植物栽培装置として、たとえば特許文献１がある。
【先行技術文献】
【特許文献】
【０００３】
【特許文献１】特開２０１５−１１９６６０号公報
【発明の概要】
【発明が解決しようとする課題】
【０００４】
しかしながら、前記従来の構成では、栽培領域内で光量のばらつきが生じるという課題がある。
【０００５】
本開示は、前記課題を解決するもので、光量分布を均質化することが可能な植物栽培装置を提供することを目的とする。
【課題を解決するための手段】
【０００６】
前記目的を達成するために、本開示の１つの態様にかかる植物栽培装置は、長手方向沿いに隣接配置された第１人工光源と第２人工光源とを有して植物栽培用の光をそれぞれ照射する複数の人工光源と、
前記第１人工光源と前記第２人工光源とを覆うように配置される導光部材とを備え、
前記導光部材は、前記人工光源の前記長手方向沿いに、第１受光部と、発光部と、第２受光部とが連結して配置され、
前記第１受光部は、前記第１人工光源から照射される第１光を取り込んだのち屈折して前記発光部に向けて透過させ、
前記第２受光部は、前記第２人工光源から照射される第２光を取り込んだのち屈折して前記発光部に向けて透過させ、
前記発光部は、前記第１受光部と前記第２受光部とからそれぞれ取り込んで屈折した後に透過してきた前記第１光及び前記第２光を取り込み、屈折したのち、前記第１人工光源の端部と当該端部に隣接する前記第２人工光源の端部との間の非照射部に対向する植物栽培用空間に向けて照射する。
【発明の効果】
【０００７】
以上のように、本開示の前記態様によれば、導光部材によって、人工光源からの光量の多い領域から光量の少ない領域に光を導光することによって光量分布を均質化することができる。
【図面の簡単な説明】
【０００８】
【図１】本開示の実施の形態１における植物栽培装置の概略図
【図２】従来構成における蛍光灯の照度分布の図
【図３Ａ】本開示の実施の形態１における植物栽培装置の導光部材付近の概略側面図
【図３Ｂ】図３Ａの導光部材の平面図
【図３Ｃ】図３Ａの導光部材と蛍光灯と植物との配置関係を示す平面図
【図３Ｄ】図３Ａの導光部材による導光の原理を説明する説明図
【図４Ａ】本開示の実施の形態２における植物栽培装置の導光部材の概略平面図
【図４Ｂ】図４Ａの導光部材の概略側図
【図４Ｃ】図４Ａの導光部材とＬＥＤとの配置関係を説明するための、ＬＥＤの長手方向での断面側面図
【図４Ｄ】図４Ａの導光部材による導光の原理を説明するための、半円筒形状の軸直交方向での断面側面図
【発明を実施するための形態】
【０００９】
以下、本開示の実施の形態について、図表を参照しながら説明する。
【００１０】
（実施の形態１）
図１は実施の形態にかかる植物栽培装置の概略図である。
【００１１】
植物栽培装置は、第１人工光源１００−１と、第２人工光源１００−２と、導光部材１０１とを備えて、複数の人工光源１００−１，１００−２から照射される光Ｌ１，Ｌ２を用いて植物栽培用空間に配置された植物の栽培を行う。
【００１２】
なお、図１において、植物栽培用空間に配置される栽培ベッド及び栽培棚など、本開示に関する構成以外の機器構成は図示が省略されている。しかしながら、本開示に関する植物栽培装置では、具体的には図示しないが、温度、湿度、及びＣＯ２濃度が任意に制御可能な空調機器と、養液の条件などを制御する養液制御装置と、養液を循環させる栽培ベッドなどを備え、栽培する植物１０３に応じて適切な環境になるように栽培環境を制御する。
【００１３】
まず、照明部１００は、複数の人工光源として第１人工光源１００−１と第２人工光源１００−２とで構成され、第１人工光源１００−１と第２人工光源１００−２とは直列的に隣接して配置されている。各人工光源は、例えば、蛍光灯又はＬＥＤなどの直管型の光源で構成され、植物栽培用空間の栽培プレート１０２に植えられた植物１０３に向かって光を照射することで植物１０３を栽培している。
【００１４】
照明部１００の各人工光源の長さは、例えば、一般的な直管型の蛍光灯の長さと同じ１２８０ｍｍである。一例として、縦２７５０ｍｍ、横７５０ｍｍ、高さ３００ｍｍの仮想直方体の栽培空間内の天井に照明部１００が設置され、栽培空間の天井の中心から幅１９０ｍｍのピッチで２本備えていると仮定する。
【００１５】
前記各照明部１００の両側の末端のソケット部１００ｂには、照明器具に取り付けるための照明器具取付用の一対のソケット１００ａが取り付けられている。ソケット１００ａを含むソケット部１００ｂ自体は発光しないため、ソケット部１００ｂ付近の栽培空間の光量が低下する。
【００１６】
また、前記照明部１００に蛍光灯を用いる場合、蛍光灯の蛍光管内には電極があるため、図２に示すように、蛍光灯の末端部（すなわち、０ｃｍの位置）から例えば約１０ｃｍの範囲においては、光量が少なくなる。
【００１７】
表１は、導光部材１０１が無い従来構成において前記照明部１００に蛍光灯を用いて、  蛍光灯の末端から中央部に向かって１０ｃｍまでの範囲を照明末端部と定義し、それ以外の範囲を照明中央部と定義し、それぞれ、Ｌｉ−ＣＯＲ社製の光量子束密度計Ｌｉｇｈｔ−ＭｅｔｅｒＬＩ−２５０Ａを用いて光量を、栽培無し、育苗時、及び収穫時でそれぞれ測定した結果である。また、表２は、導光部材１０１が無い前記従来構成での重量を、栽培無し、育苗時、及び収穫時でそれぞれ測定した結果である。なお、照度分布は、照明中央部の光量を１００としたときの比率で表示している。重量も、照明中央部の重量を１００としたときの比率で表示している。
【００１８】
測定条件は、植物１０３を栽培しない場合（「栽培無し」と表示。）では、栽培プレート１０２の上面上に測定器を設置して測定した。植物１０３の育苗終了時と収穫時とは、  植物１０３の先端部に測定面鉛直方向に上に向くように測定器を設置して測定した。測定面と照明部１００との距離は、栽培なし時：３００ｍｍ、育苗終了時：２００ｍｍ、収穫時：１００ｍｍである。
【００１９】
表１において、前記照明末端部の光量が栽培無しは８５、育苗時は７５、収穫時は５６と、植物１０３が生長するにつれて、照明末端部の光量が低下することでの、照明中央部と照明末端部との光量の差が大きくなる傾向にある。表２において、このときの育苗時及び収穫時のそれぞれの重量は、平均して、育苗時が７８（これは、植物の個数Ｎ＝８個の平均の値。）、収穫時が６５（これは、植物の個数Ｎ＝４個の平均の値。）となる。
【００２０】
植物１０３の重量は、照明以外の条件が同一の場合、栽培期間中の積算光量に比例している。すなわち、照明末端部の積算光量は、育苗時で８０となり、収穫時で６６となり、  照明末端部の重量は、育苗時で７８となり、収穫時で６５となり、積算光量と重量との相関性を確認することができた。ここでは、植物の一例として、レタスを栽培している。
【００２１】
【表１】
2019047773.tif 000003
【００２２】
【表２】
2019047773.tif 000004
【００２３】
このような条件の下、重量の歩留まりを確保する場合、重量が小さくなる照明末端部の重量が所定の重量（言い換えれば、収穫時に最低必要な重量）以上になるように、照明末端部を所定の重量以上とするのに必要な栽培日数又は照明の照射時間などを設定するが、  その場合、照明中央部の光量が強くなり過ぎるため、収穫時の照明中央部での重量が４０％以上大きくなってしまう。
【００２４】
その場合、植物が大きくなり過ぎることによる、葉の変色などが発生するか、あるいは、出荷の際に用いるパッケージよりも植物が大きくなり過ぎる結果、余分な葉を取り除く作業が発生する、などの手間がかかるなどの課題が発生する。
【００２５】
このため、栽培環境を可能な限り均質にすることで、これらの課題を解決することが可能となる。そこで、本開示では、導光部材１０１を配置することにより、照明中央部の光量と照明末端部の光量とを均質化するように構成するものである。以下、これについて、詳細に説明する。
【００２６】
図３Ａは、照明部１００の各人工光源に蛍光灯を用いた場合の本実施の形態１の植物栽培装置の導光部材１０１付近の概略側面図を示している。図３Ｂは導光部材１０１の平面図である。図３Ｃは導光部材１０１と複数の人工光源１００−１，１００−２と植物１０３との配置関係を示す平面図である。図３Ｄは導光部材１０１による導光の原理を説明する説明図である。ただし、図３Ｂ〜図３Ｄにおける斜線部分は、断面ハッチングではなく、発光部及び受光部と、導光部とを区別するために付したものである。
【００２７】
図３Ａ〜図３Ｄにおいて、この導光部材１０１は、複数の人工光源１００−１，１００−２から照射される光Ｌ１，Ｌ２を用いて植物１０３の栽培を行う植物栽培装置で使用される。この導光部材１０１は、少なくとも、前記複数の前記人工光源１００−１，１００−２のうちの隣接する第１人工光源１００−１の上方と第２人工光源１００−２の上方とに、第１人工光源１００−１と第２人工光源１００−２とは隙間をあけて、またがって覆うように配置された薄い矩形板状の導光部材１０１である。導光部材１０１の長手方向は、各人工光源の長手方向に沿って配置されている。
【００２８】
導光部材１０１は、図３Ａに示すように、第１人工光源１００−１と第２人工光源１００−２との間の直上に隙間１３０をあけて配置されている。
【００２９】
導光部材１０１は、例えば矩形状の透明な薄い板状の部材であり、第１受光部１１１と、第２受光部１１２と、導光部１０１ａと、発光部１０１ｂとを備えている。導光部材１０１は、導光部材１０１の長手方向において発光部１０１ｂの一端側に導光部１０１ａを介して第１受光部１１１を連結して配置し、発光部１０１ｂの他端側に導光部１０１ａを介して第２受光部１１２を連結して配置している。導光部材１０１は、透光性のある透明な樹脂、例えばアクリル樹脂などで一体的に構成されている。
【００３０】
図１及び図３Ｄにおいて、第１受光部１１１は、プリズムで構成されて、以下のような作用を発揮する。第１人工光源１００−１に対向する第１対向面１１１ａの、少なくとも第１人工光源１００−１の長手方向の中央部から第２人工光源１００−２の端部に対向する一方の端部にかけての領域において、第１人工光源１００−１から上方に照射される第１光Ｌ１を導光部材１０１の長手方向と交差する方向に第１受光部１１１内に取り込む。第１受光部１１１では、取り込んだ第１光Ｌ１を屈折して、導光部材１０１の長手方向沿いに発光部１０１ｂに向けて透過させて、発光部１０１ｂに送る。第１受光部１１１の平面形状は、例えば、発光部１０１ｂに向かうにつれて先細りの形状とする。一例として、  第１受光部１１１の平面形状は、第１人工光源１００−１の長手方向の中央部に底辺が配置され、発光部１０１ｂの近傍に頂点が配置されるような大略二等辺三角形を２個並列配置して（すなわち、図３Ｂでは左端側の斜線領域として）構成されている。
【００３１】
同様に、第２受光部１１２は、プリズムで構成されて、以下のような作用を発揮する。第２人工光源１００−２に対向する第２対向面１１２ａの、少なくとも第２人工光源１００−２の長手方向の中央部から第１人工光源１００−１の端部に対向する一方の端部にかけての領域において、第２人工光源１００−２から上方に照射される第２光Ｌ２を導光部材１０１の長手方向と交差する方向に第２受光部１１２内に取り込む。第２受光部１１２では、取り込んだ第２光Ｌ２を屈折して、導光部材１０１の長手方向沿いに発光部１０１ｂに向けて透過させて、発光部１０１ｂに送る。第２受光部１１２の平面形状は、例えば、発光部１０１ｂに向かうにつれて先細りの形状とする。一例として、第２受光部１１２の平面形状は、第２人工光源１００−２の長手方向の中央部に底辺が配置され、発光部１０１ｂの近傍に頂点が配置されるような大略二等辺三角形を２個並列配置して（すなわち、図３Ｂでは右端側の斜線領域として）構成されている。
【００３２】
第１受光部１１１と第２受光部１１２とのそれぞれの大略二等辺三角形の一例としては、設置状態で上面から見た場合（すなわち、平面視の場合）、図３Ｃに示すように、照明部１００の中心点１００ｅの２点と電極部の端部の点１００ｆの１点との合計３点で構成される、例えば底辺１０８０ｍｍ、高さ１２．５ｍｍの大略二等辺三角形である。
【００３３】
導光部１０１ａは、平面形状としては、底辺が互い接続された２つの台形形状で構成されている。各台形形状には、受光部の２個の大略二等辺三角形の底辺が台形の底辺と重ねて連結されており、受光部以外の部分（すなわち、図３Ｂでは白地領域）として構成されている。導光部１０１ａは、第１受光部１１１と第２受光部１１２とからそれぞれ取り込まれた第１光Ｌ１と第２光Ｌ２とを発光部１０１ｂに向けて導光する。
【００３４】
発光部１０１ｂは、導光部材１０１の中央に配置され、かつ、第１人工光源１００−１の一方の端部と第２人工光源１００−２の一方の端部とに対向する第３対向面１０１ｃを有する。第１受光部１１１と第２受光部１１２とからそれぞれ取り込んで屈折した後に導光部１０１ａを透過してきた第１光Ｌ１及び第２光Ｌ２を発光部１０１ｂに取り込む。発光部１０１ｂでは、第１光Ｌ１及び第２光Ｌ２を、導光部材１０１の長手方向と交差する方向に屈折したのち、第１人工光源１００−１の端部と当該端部に隣接する第２人工光源１００−２の端部とに対向する第３対向面１０１ｃから、第１人工光源１００−１の端部と当該端部に隣接する第２人工光源１００−２の端部とを介して、植物１０３に向けて照射する。発光部１０１ｂとしては、２つの人工光源１００−１，１００−２間の隙間１３１（図３Ａ参照）の全体を照射するような長さを有するように構成してもよいが、隙間１３１を下方に突き抜けて、植物１０３の直上まで発光部１０１ｂを突出させて垂下させるように設けてもよい。ここで、隙間１３１は、光源ではなく、光を照射しない非照射部の一例である。
【００３５】
一例として、前記受光部１１１，１１２は、前記栽培空間の仮想直方体の中では、上面から見て各人工光源１００−１，１００−２の中央部が光量が強く、末端部に近くなるにつれて光量が少なくなっている。このため、受光部１１１，１１２としては、中央部の光を多く導光するため受光部１１１，１１２の面積が大きく、末端部にかけて受光部１１１，１１２の面積が徐々に小さくなるような先細りの形状を特徴としている。すなわち、第１受光部１１１又は第２受光部１１２から発光部１０１ｂ側に向けて先細りとなるような大略二等辺三角形状を持っている。
【００３６】
このような実施の形態１の構成によれば、照明部１００から直上に照射される光Ｌ１，Ｌ２を、照明部１００の各人工光源１００−１，１００−２の中央部から末端部の隙間１３１の付近に導光部材１０１により導光することで、照明部１００の隙間１３１の付近の光量不足を改善することができる。特に、受光部１１１，１１２としては、光量の多い照明中央部で受光面積を大きくして光Ｌ１，Ｌ２を多く取り込み、光量の少ない照明末端部では受光面積を小さくして導光部１０１ａを多くして、発光部１０１ｂから発光可能としている。このような構成とすることにより、中央部から末端部付近にかけての光量分布を均質化することができる。また、前記構成によれば、特に隣接する人工光源間の隙間１３１の部分の光量不足による植物１０３の重量不足及び徒長を改善することが可能となり、  収穫重量のばらつきを低減することが可能となる。
【００３７】
また、導光部材１０１が無い、従来の構成では、植物１０３の育成に有効活用できなかった蛍光灯の上側に照射される光を、末端部側に導光して、植物１０３に照射することで、より高効率な植物栽培が可能となる。
【００３８】
表３は、表１及び表２の従来の構成に前記導光部材１０１を設置した以外は同じ測定条件で測定を行ったときの、前記収穫時において光量を測定した結果である。
【００３９】
【表３】
2019047773.tif 000005
【００４０】
表３において、照明中央部の光量と照明末端部の光量とは、ほぼ同じとなることが確認でき、より均質な光量環境を実現することが可能となる。
【００４１】
（実施の形態２）
実施の形態２は、実施の形態１の蛍光灯とは異なり、前記照明部１００にＬＥＤ（Ｌｉｇｈｔ  Ｅｍｉｔｔｉｎｇ  Ｄｉｏｄｅ）を用いる場合である。ＬＥＤ照明には電極部がなく、蛍光灯のように照明末端部の光量の低下はない。
【００４２】
しかしながら、ＬＥＤ照明を照明器具に取り付けるときに生じるＬＥＤ照明間の隙間部分１３２の光量子束密度が小さくなるという課題については、蛍光灯の代わりにＬＥＤ照明を用いても解決はしない。また、ＬＥＤ照明は、通常、指向性があるため、植物１０３の栽培面のみ光を照射することが可能なため、実施形態１のような、植物１０３に対し直接照射しない、上方に照射された光を導光して、栽培に利用することはできない。なお、  隙間部分１３２は非照射部の別の例である。
【００４３】
そのような課題を解決するために、図４Ａ〜図４Ｄに記載の導光部材２００を用いる。図４Ａは、実施の形態２における植物栽培装置の導光部材２００の概略平面図である。図４Ｂは導光部材２００の概略側図である。図４Ｃは導光部材２００とＬＥＤ１００−３，１００−４との配置関係を説明するための、ＬＥＤの長手方向での断面側面図である。図４Ｄは導光部材２００による導光の原理を説明するための、半円筒形状の軸直交方向での断面側面図である。ただし、図４Ａにおける斜線部分は、断面ハッチングではなく、発光部及び受光部と、導光部とを区別するために付したものである。
【００４４】
図４Ａ〜図４Ｄにおいて、この実施の形態２では、まず、照明部１００の人工光源が直管型のＬＥＤであって、第３人工光源１００−３と第４人工光源１００−４とが互いに直列的に隣接して配置され、第３人工光源１００−３の端部と第４人工光源１００−４の端部とが近接配置されている。第３人工光源１００−３と第４人工光源１００−４とのそれぞれの両端部には、照明器具に取り付けるためのソケット１００ｄが固定されている。
【００４５】
このように人工光源がＬＥＤの第３人工光源１００−３と第４人工光源１００−４とである場合に、導光部材２００は、以下のように配置されている。すなわち、導光部材２００は、例えば、第３人工光源１００−３と第４人工光源１００−４の長手方向とは交差する方向（例えば直交する方向）に軸方向を有しかつ下向きに凸の半円筒形状の透明部材で構成されている。この導光部材２００は、第３人工光源１００−３の端部と第４人工光源１００−４の端部の下側に両端部にまたがって覆うように配置されている。
【００４６】
この導光部材２００は、第３受光部２１１と、第４受光部２１２と、発光部２００ｃと、導光部２００ｄとを備えている。導光部材２００は、透光性のある透明な樹脂、例えばアクリル樹脂などで一体的に構成されている。
【００４７】
第３受光部２１１と第４受光部２１２とは、それぞれ、プリズムで構成されて、半円筒形状の周方向の両側の上端部において、間隔をあけて形成された一対の矩形の開口部２００ａ，２００ｂの縁部に、Ｃ字状にそれぞれ配置されている。なお、第３人工光源１００−３と第４人工光源１００−４が下向きにしか発光しない場合には、第３受光部２１１と第４受光部２１２とは、第３人工光源１００−３と第４人工光源１００−４の下面側にのみ板状に配置されるようにしてもよい。第３人工光源１００−３の端部において、第３人工光源１００−３から下方に照射される第３光Ｌ３を導光部材２００の長手方向（言い換えれば、半円筒形状の周方向）と交差する方向に第３受光部２１１内に取り込む。第３受光部２１１では、取り込んだ第３光Ｌ３を屈折して、導光部材２００の長手方向沿いに発光部２００ｃに向けて透過させて、発光部２００ｃに送る。
【００４８】
同様に、第４人工光源１００−４の端部において、第４人工光源１００−４から下方に照射される第４光Ｌ４を導光部材２００の長手方向（すなわち、半円筒形状の周方向）と交差する方向に第４受光部２１２内に取り込む。第４受光部２１２では、取り込んだ第４光Ｌ４を屈折して、導光部材２００の長手方向沿いに発光部２００ｃに向けて透過させて、発光部２００ｃに送る。
【００４９】
導光部２００ｄは、前記半円筒形状の上端部と下端部との間の中間部分として、湾曲した半円筒の透明部分で構成されて、第３受光部２１１と第４受光部２１２とからそれぞれ取り込まれた第３光Ｌ３と第４光Ｌ４とを発光部２００ｃに向けて導光する。
【００５０】
発光部２００ｃは、前記半円筒形状の上端部間の中間の下端部に配置されて円筒形状の軸方向に延びた発光部２００ｃは、導光部材２００の中央に配置され、かつ、第３人工光源１００−３の一方の端部と第４人工光源１００−４の一方の端部との間の隙間部分１３２の下方に位置している。発光部２００ｃは、その下面に第４対向面２００ｅを有する。第３受光部２１１と第４受光部２１２とからそれぞれ取り込んで屈折した後に導光部２００ｄを透過してきた第３光Ｌ３及び第４光Ｌ４を発光部２００ｃに取り込む。発光部２００ｃでは、第３光Ｌ３及び第４光Ｌ４を、導光部材２００の長手方向と交差する方向に屈折したのち、発光部２００ｃの第４対向面２００ｅから植物１０３に向けて照射する。
【００５１】
なお、照明部１００が蛍光灯の場合にも、導光部材２００を適用してもよい。すなわち、導光部材２００は、各人工光源の長手方向とは交差する方向に軸方向を有しかつ下向きに凸の半円筒形状で構成され、第１人工光源の端部と第２人工光源の端部との下側に、前記両端部を覆うように配置される。
【００５２】
ここで、導光部材２００が各ソケット１００ｄに干渉しないように設計されている。たとえば、端部間の隙間部分１３２が長さ１００ｍｍのとき、ソケット１００ｄは長さ３０ｍｍとする場合で、半円筒形状の半径Ｒ＝１００ｍｍの半円筒形状として、半円筒形状の導光部材２００が各ソケット１００ｄに接触しないように構成されている。
【００５３】
また、第３受光部２１１と第４受光部２１２は、ＬＥＤの形状によって異なるが、一般的に使用されているＬＥＤの直径は３０ｍｍであるため、これが係合できるような大きさの開口部２００ａ，２００ｂの縁部に配置されている。なお、開口部２００ａ，２００ｂと、第３及び第４人工光源１００−３，１００−４の外面との間には、隙間をできるだけ小さくして、例えば１ｍｍの隙間をあけて係合するように構成して、光の漏れを抑制するほうが望ましい。
【００５４】
また、導光部材２００は、照明部１００が、第３及び第４受光部２１１，２１２と接触しないように、設置されている。導光部材２００は、第３受光部２１１と第４受光部２１２とによって集光した第３光Ｌ３及び第４光Ｌ４を導光部２００ｄで導光し、発光部２００ｃの第４対向面２００ｅから、その下方に植えられた植物２０３に光を照射する。
【００５５】
このような実施の形態２の構成によれば、照明部１００から直下に照射される光Ｌ３，Ｌ４を、照明部１００の各人工光源１００−３，１００−４の端部の隙間部分１３２に導光部材２００により導光することで、照明部１００の隙間部分１３２の光量不足を改善することができる。このような構成とすることにより、中央部から端部付近にかけての光量分布を均質化することができる。また、前記構成によれば、特に隣接する人工光源間の隙間部分１３２の部分の光量不足による植物１０３の重量不足及び徒長を改善することが可能となり、収穫重量のばらつきを低減することが可能となる。
【００５６】
なお、前記様々な実施形態又は変形例のうちの任意の実施形態又は変形例を適宜組み合わせることにより、それぞれの有する効果を奏するようにすることができる。また、実施形態同士の組み合わせ又は実施例同士の組み合わせ又は実施形態と実施例との組み合わせが可能であると共に、異なる実施形態又は実施例の中の特徴同士の組み合わせも可能である。
【産業上の利用可能性】
【００５７】
本開示にかかる植物栽培装置は、植物工場において低コストで栽培環境を均質化することで、栽培する野菜を均質化し、栽培ロスの少ない野菜の栽培が可能となる。
【符号の説明】
【００５８】
１００  照明部
１００−１  第１人工光源
１００−２  第２人工光源
１００−３  第３人工光源
１００−４  第４人工光源
１００ａ  ソケット
１００ｂ  ソケット部
１００ｄ  ソケット
１０１  導光部材
１０１ａ  導光部
１０１ｂ  発光部
１０１ｃ  第３対向面
１０２  栽培プレート
１０３  植物
１１１  第１受光部
１１１ａ  第１対向面
１１２  第２受光部
１１２ａ  第２対向面
１３０  隙間
１３１  隙間
１３２  隙間部分
２００  導光部材
２００ａ  開口部
２００ｂ  開口部
２００ｃ  発光部
２００ｄ  導光部
２００ｅ  第４対向面
２１１  第３受光部
２１２  第４受光部
【図１】
2019047773.tif 000006
【図２】
2019047773.tif 000007
【図３Ａ】
2019047773.tif 000008
【図３Ｂ】
2019047773.tif 000009
【図３Ｃ】
2019047773.tif 000010
【図３Ｄ】
2019047773.tif 000011
【図４Ａ】
2019047773.tif 000012
【図４Ｂ】
2019047773.tif 000013
【図４Ｃ】
2019047773.tif 000014
【図４Ｄ】
2019047773.tif 000015